(57)【要約】【課題】装置本体を小型化可能な画像形成装置を提供する。【解決手段】トナー像をシートに転写する転写ローラを有し、装置本体１Ａに対して回動可能に支持される転写ユニット６０と、装置本体１Ａに対して開閉可能に支持されるサイドドア８０と、装置本体１Ａに対して回動可能に支持され、転写ユニット６０を装置本体に対して位置決め可能な位置決めカム９０と、を備える。位置決めカム９０の全体が、転写ユニット６０の回動中心に対して装置本体１Ａの外側に配置されている。【選択図】図５
2018084780.tif 000002
【特許請求の範囲】
【請求項１】
トナー像を担持する像担持体を有する装置本体と、
前記像担持体に担持されたトナー像をシートに転写する転写部を有し、前記転写部が前記像担持体に対して接離可能となるように前記装置本体に対して回動可能に支持される転写ユニットと、
前記転写ユニットよりも前記装置本体から離れる位置に配置されると共に前記装置本体に対して開閉可能に支持される開閉手段と、
前記装置本体に対して回動可能に支持され、前記転写ユニットを前記装置本体に対して位置決め可能な位置決め手段と、を備え、
前記位置決め手段の全体が、前記転写ユニットの回動中心に対して前記装置本体の外側に配置されている、
ことを特徴とする画像形成装置。
【請求項２】
前記転写ユニットは、前記装置本体に設けられる固定部に当接可能な当接部を有し、前記当接部が前記固定部に当接することで前記装置本体に対して位置決めされ、
前記位置決め手段は、前記当接部を押圧可能な押圧部と、前記開閉手段に係合することで前記開閉手段の開閉動作に連動して前記位置決め手段を回動させる連動部と、を有し、
前記開閉手段が閉じられると、前記連動部と前記開閉手段との係合によって前記位置決め手段が回動し、前記位置決め手段の前記押圧部が前記当接部を前記固定部に対して押し当てる、
ことを特徴とする請求項１に記載の画像形成装置。
【請求項３】
前記連動部は、前記位置決め手段の回動中心から一方に延びる第１係合部と、前記位置決め手段の前記回動中心から他方に延びる第２係合部と、を有し、
前記開閉手段は、前記開閉手段が閉じられる際に前記第１係合部を押圧し前記押圧部が前記当接部から離間するように前記位置決め手段を回動させる第３係合部と、前記第２係合部に係合して前記位置決め手段を回動させる第４係合部と、を有する、
ことを特徴とする請求項２に記載の画像形成装置。
【請求項４】
前記開閉手段が閉状態にある際に、前記押圧部が前記当接部を押圧するように前記位置決め手段を付勢する付勢部を備える、
ことを特徴とする請求項３に記載の画像形成装置。
【請求項５】
前記第３係合部は、前記開閉手段が閉じられる際に、前記第２係合部が前記第４係合部に係合可能な位置となるように、前記付勢部の付勢力に抗して前記位置決め手段を回動させる、
ことを特徴とする請求項４に記載の画像形成装置。
【請求項６】
前記第４係合部は、前記開閉手段が開かれる際に、前記押圧部が前記当接部から離間するように、前記第２係合部を介し、前記付勢部の付勢力に抗して前記位置決め手段を回動させる、
ことを特徴とする請求項４又は５に記載の画像形成装置。
【請求項７】
前記位置決め手段が前記付勢部による付勢方向に回動することを規制する規制部を備え、
前記押圧部は、前記位置決め手段が前記規制部によって移動規制された状態において、前記当接部に当接して前記転写ユニットを保持可能である、
ことを特徴とする請求項４乃至６のいずれか１項に記載の画像形成装置。
【請求項８】
前記押圧部は、前記開閉手段が閉状態にある際に、前記当接部から前記位置決め手段の前記回動中心に向かう方向の反力を受ける、
ことを特徴とする請求項３乃至７のいずれか１項に記載の画像形成装置。
【請求項９】
前記押圧部は、前記開閉手段が閉状態にある際に、前記位置決め手段の前記回動中心と前記当接部とを結んだ線に直交する線に沿って延び、前記反力を受ける押圧面を有する、
ことを特徴とする請求項８に記載の画像形成装置。
【請求項１０】
前記位置決め手段は、前記開閉手段が閉状態にある際に、上下方向において前記第３係合部と前記第４係合部との間に配置される、
ことを特徴とする請求項３乃至９のいずれか１項に記載の画像形成装置。
【請求項１１】
前記転写ユニットは、前記転写部を前記像担持体に付勢する転写付勢部を有する、
ことを特徴とする請求項１乃至１０のいずれか１項に記載の画像形成装置。
【発明の詳細な説明】
【技術分野】
【０００１】
本発明は、シートに画像を形成する画像形成装置に関する。
【背景技術】
【０００２】
一般に、電子写真方式の画像形成装置としては、例えば中間転写ベルト上に形成されたトナー像を転写ローラによりシートに転写するプリンタ等が知られている。転写ローラは、装置本体に対して回動可能に支持される転写ユニットに設けられており、転写ローラと共に転写ユニットが装置本体から離間することで、中間転写ベルト及び転写ローラによって挟持されたシートを取り除くことができる。
【０００３】
従来、図８に示すように、サイドカバー２９０の開閉動作に連動して二次転写ユニット２３０が回動するように二次転写ロックアーム２０２を設けたプリンタが提案されている（特許文献１参照）。サイドカバー２９０は、回動中心２９１を中心に装置本体に対して開閉可能に支持されており、二次転写ユニット押し部材２９３によって二次転写ユニット２３０を押圧可能に構成されている。二次転写ユニット２３０は、回動中心２３０ｂを中心に装置本体に対して回動可能に支持されており、装置本体に設けられた中間転写ベルトに対して二次転写ローラ２３２が接離可能に構成されている。
【０００４】
サイドカバー２９０には、ガイドカム２９２ａが形成された二次転写アーム２９２が設けられており、サイドカバー２９０が開閉する際に、二次転写ロックアーム２０２の係合突起２０２ｄがガイドカム２９２ａによって案内される。サイドカバー２９０が閉じられる際には、ガイドカム２９２ａが係合突起２０２ｄを案内することで、二次転写ロックアーム２０２が上方（図８（ａ）の矢印Ｃ１方向）に回動する。これにより、二次転写ロックアーム２０２に形成された係合部２０２ｂが二次転写ユニット２３０の位置決め部２３０ａに係合し、二次転写ユニット２３０を位置決めすることができる。
【先行技術文献】
【特許文献】
【０００５】
【特許文献１】特開２００９−２５１１３５号公報
【発明の概要】
【発明が解決しようとする課題】
【０００６】
ところで、近年、プリンタ等の画像形成装置は、設置スペースをなるべく小さくするために小型化が望まれている。しかしながら、上記特許文献１は、二次転写ロックアーム２０２の回動中心２０２ａが二次転写ユニット２３０よりも装置本体内側に設けられている。このため、二次転写ベルト、感光体ドラム及び定着ユニット等を、二次転写ロックアーム２０２の回動中心２０２ａよりも更に装置本体内側に設ける必要があり、装置本体が大型化してしまう原因となっていた。
【０００７】
そこで、本発明は、転写ユニットの回動軸よりも装置本体の外側に位置決め手段を配置し、上述した課題を解決した画像形成装置を提供することを目的とする。
【課題を解決するための手段】
【０００８】
本発明は、画像形成装置において、トナー像を担持する像担持体を有する装置本体と、前記像担持体に担持されたトナー像をシートに転写する転写部を有し、前記転写部が前記像担持体に対して接離可能となるように前記装置本体に対して回動可能に支持される転写ユニットと、前記転写ユニットよりも前記装置本体から離れる位置に配置されると共に前記装置本体に対して開閉可能に支持される開閉手段と、前記装置本体に対して回動可能に支持され、前記転写ユニットを前記装置本体に対して位置決め可能な位置決め手段と、を備え、前記位置決め手段の全体が、前記転写ユニットの回動中心に対して前記装置本体の外側に配置されている、ことを特徴とする。
【発明の効果】
【０００９】
本発明によると、位置決め手段の全体を転写ユニットの回動軸に対して装置本体の外側に設けたので、装置本体を小型化することができる。また、位置決め手段によって転写ユニットを精度良く位置決めすることができる。
【図面の簡単な説明】
【００１０】
【図１】第１の実施の形態に係るプリンタを示す全体概略図。
【図２】サイドドア及び転写ユニット開いた状態のプリンタを示す全体概略図。
【図３】サイドドアと転写ユニットとが当接した状態を示す模式図。
【図４】サイドドアを閉じている途中における位置決めカムを示す図であって、（ａ）は全体図、（ｂ）は拡大図。
【図５】サイドドアが閉状態にある際の位置決めカムを示す図であって、（ａ）は全体図、（ｂ）は拡大図。
【図６】サイドドアを開いている途中における位置決めカムを示す図であって、（ａ）は全体図、（ｂ）は拡大図。
【図７】第２の実施の形態における位置決めカムを示す図であって、（ａ）は全体図、（ｂ）は拡大図。
【図８】従来の二次転写ユニット及び二次転写ロックアームを示す図であって、（ａ）は斜視図、（ｂ）は側面図。
【発明を実施するための形態】
【００１１】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。本発明の実施形態に係る画像形成装置として、複写機、プリンタ及びこれら複合機器等がある。以下の実施形態においては、例としてレーザビームプリンタを用いて説明する。なお、説明に不要な部品は非表示状態としてある。
【００１２】
＜第１の実施の形態＞
〔全体構成〕
まず、本発明の第１の実施の形態について説明する。プリンタ１（画像形成装置）は、モノクロのトナー像を形成する電子写真方式のレーザビームプリンタである。プリンタ１は、図１に示すように、積載されたシートを給送するシート給送部１０と、シートに転写するための画像を形成する画像形成部２０と、を有している。また、プリンタ１は、シートに転写された画像を定着させる定着装置４０と、転写ユニット６０と、プリンタ１の装置本体１Ａに対して開閉可能に設けられた開閉手段としてのサイドドア８０と、を有している。
【００１３】
プリンタ１に画像形成の指令が出力されると、プリンタ１に接続された外部のコンピュータ等から入力された画像情報に基づいて、画像形成部２０による画像形成プロセスが開始される。画像形成部２０は、露光装置２２と、トナー像を担持する像担持体としての感光ドラム２１と、不図示の帯電部、現像部及びクリーニング部と、を有している。感光ドラム２１は、帯電極性を持つ感光層を表面に形成した金属円筒によって構成されている。
【００１４】
露光装置２２は、入力された画像情報に基づいて、感光ドラム２１に向けてレーザ光Ｌを照射する。このとき感光ドラム２１は、帯電部により予め帯電されており、レーザ光Ｌが照射されることで感光ドラム２１上に静電潜像が形成される。その後、現像部によりこの静電潜像が現像され、感光ドラム２１上にモノクロのトナー像が形成される。
【００１５】
上述の画像形成プロセスに並行して、シート給送部１０のカセット１１に収納されたシートＳが、ピックアップローラ１３によって給送される。なお、カセット１１には、昇降可能な中板１２が設けられており、シートＳを給送する際には、中板１２に積載されたシートＳがピックアップローラ１３に当接する。ピックアップローラ１３によって給送されたシートＳは、フィードローラ１４及びリタードローラ１５によって１枚ずつ分離されて、レジストレーションローラ対５に向けて転写搬送路Ｒ１に搬送される。なお、本実施の形態では、１段のみのカセット１１が設けられているが、異なるサイズのシートを積載する複数のカセットを設け、これら複数のカセットから選択されたシートサイズに合わせてシートを給送してもよい。
【００１６】
レジストレーションローラ対５により斜行が補正され、所定の搬送タイミングで搬送されたシートＳの第１面（表面）には、転写ユニット６０の転写ローラ６１に印加された静電的負荷バイアスによって、感光ドラム２１上のトナー像が転写される。ここで、転写ユニット６０には、転写ローラ６１を感光ドラム２１に対して付勢する転写付勢部としての転写ローラバネ６２が設けられている。シートＳにトナー像を確実に転写させるためには、転写部としての転写ローラ６１を感光ドラム２１に対して適正な転写圧で付勢する必要があるが、そのためには転写ユニット６０は装置本体１Ａに対して精度良く位置決めされる必要がある。
【００１７】
シートＳにトナー像が転写された後には、感光ドラム２１の表面にトナーが少量残っており、残ったトナーはクリーニング部によって除去される。そして、トナー像が転写されたシートＳは、定着装置４０の加圧ローラ４１及び加熱ローラ４２によって所定の熱及び圧力が付与されて、トナーが溶融固着（定着）される。定着装置４０を通過したシートＳは、搬送ローラ対５１によって排出搬送路Ｒ２に搬送され、排出ローラ対５３によって排出トレイ５４に排出される。
【００１８】
シートＳの両面に画像を形成する場合には、案内部材５２が下方に回動し、シートＳが反転搬送路Ｒ３に案内される。反転搬送路Ｒ３に案内されたシートＳは、反転ローラ対５５によってスイッチバックされ、両面搬送路Ｒ４に搬送される。両面搬送路Ｒ４に搬送されたシートＳは、搬送ローラ対６３，８２によって再度、転写搬送路Ｒ１に搬送される。そして、シートＳは、第１面と同様に第２面（裏面）にも画像が形成され、排出トレイ５４に排出される。
【００１９】
［転写ユニット及びサイドドア］
転写ユニット６０は、図２に示すように、回動中心としての回動軸６４を中心に装置本体１Ａに回動可能に支持されており、転写ローラ６１が感光ドラム２１に対して接離可能に構成されている。感光ドラム２１と転写ローラ６１との間でシートＳがジャムした際には、サイドドア８０及び転写ユニット６０が装置本体１Ａに対して開かれて、ジャムしたシートＳが除去される。この時、転写ユニット６０は、装置本体１Ａに設けられたストッパ６５によって保持される。転写ユニット６０のフレーム６０ａからは、当接部としての位置決めピン６６がシートＳの幅方向において突出している。転写ユニット６０は、サイドドア８０が閉状態の際には、位置決めピン６６が、装置本体１Ａに精度良く設けられた固定部としての本体側位置決め部６に押えつけられることで、装置本体１Ａに対して位置決めされる構成となっている。すなわち、位置決めピン６６は、本体側位置決め部６に対して当接可能に構成される。
【００２０】
サイドドア８０は、転写ユニット６０よりも装置本体１Ａの外側に配置されており、装置本体１Ａに対して回動軸８１を中心に開閉可能に支持されている。また、サイドドア８０は、閉状態では、装置本体１Ａに設けられたロック部７とサイドドア８０に設けられたフック部８５とが係合することで、装置本体１Ａに対してロックされる。ユーザが、サイドドア８０を開状態から閉状態となるように閉めようとすると、図３に示すように、転写ユニット６０のフレーム６０ａとサイドドア８０の押し上げ部８６とが当接する。なお、押し上げ部８６は、両面搬送路Ｒ４を構成するガイドには設けられておらず、両面搬送路Ｒ４とはシート幅方向にずれて設けられている。このため、両面搬送路Ｒ４のシート搬送領域が傷ついて、シートＳのジャムの原因となることは無い。
【００２１】
また、サイドドア８０は、装置本体１Ａの内側に向けて延びる第３係合部としての第１突出部８３と、第２突出部８４と、を有している。第１突出部８３の先端部における上面には、基端部に向けて下り傾斜する傾斜面８３ａが形成されている。第２突出部８４には、位置決めカム９０の第２ボス９４に係合可能な第４係合部としての凹部８４ａが形成されている。
【００２２】
［位置決めカムの構成］
ところで、装置本体１Ａには、図３に示すように、装置本体１Ａに回動可能に支持される位置決めカム９０が回動軸９１を中心に回動可能に支持されており、位置決めカム９０は、第１ボス９２と、第２ボス９４と、押圧部９３と、を有している。位置決め手段としての位置決めカム９０の全体は、転写ユニット６０の回動軸６４よりも装置本体１Ａの外側に配置されている。第１係合部としての第１ボス９２は、回動中心としての回動軸９１から軸方向に直交する方向における一方に延び、第２係合部としての第２ボス９４は、回動軸９１から他方に延びている。また、押圧部９３は、第１ボス９２及び第２ボス９４とは異なる方向に回動軸９１から延びている。第１ボス９２及び第２ボス９４は、サイドドア８０の開閉動作に連動して位置決めカム９０を回動させる連動部９９を構成している。
【００２３】
位置決めカム９０は、回動軸９１に巻回される付勢部としてのねじりコイルバネ９６（図４（ｂ）参照）によって、図３における反時計回りに付勢されており、規制部としてのストッパ９７によって図３に示す位置に位置決めされている。すなわち、ストッパ９７は、位置決めカム９０がねじりコイルバネ９６の付勢方向に回動することを規制する。第１ボス９２は、位置決めカム９０がストッパ９７によって移動規制された状態において、サイドドア８０の第１突出部８３によって押圧可能となるように配置されている。
【００２４】
［位置決めカムの動作］
次いで、位置決めカム９０の動作について、サイドドア８０の開閉動作に沿って説明する。以下、図４乃至図６においては、位置決めカム９０が、転写ユニット６０及びサイドドア８０に対して重なるように記載されているが、転写ユニット６０及びサイドドア８０の開閉に障害とならないように配置されている。具体的には、位置決めカム９０の押圧部９３は、位置決めピン６６及び本体側位置決め部６に対して図の奥行き方向において同じ位置に配置されているが、位置決めカム９０の他の部分と転写ユニット６０とが干渉することは無い。また、位置決めカム９０の第１ボス９２及び第２ボス９４は、サイドドア８０の第１突出部８３及び第２突出部８４に対してそれぞれ図の奥行き方向において同じ位置に配置されているが、位置決めカム９０の他の部分とサイドドア８０とが干渉することは無い。
【００２５】
まず、サイドドア８０が閉じられる際の位置決めカム９０の動作について説明する。図３に示すように、サイドドア８０がユーザによって閉じられると、上述したように転写ユニット６０のフレーム６０ａにサイドドア８０の押し上げ部８６が当接し、転写ユニット６０が持ち上げられる。更にサイドドア８０が装置本体１Ａに向けて閉められると、図４に示すように、サイドドア８０の第１突出部８３が位置決めカム９０の第１ボス９２に当接する。位置決めカム９０は、第１ボス９２が第１突出部８３に押圧されることで、ねじりコイルバネ９６の付勢力に抗して時計回りに回動する。これにより、位置決めカム９０は、第２ボス９４が第２突出部８４の凹部８４ａに係合可能な位置に保持される。
【００２６】
更にサイドドア８０が装置本体１Ａに向けて閉められると、図５に示すように、第２ボス９４が凹部８４ａに係合し、第２ボス９４が凹部８４ａの第１押圧面８４ｂによって押圧されることで位置決めカム９０が反時計回りに回動する。なお、位置決めカム９０が凹部８４ａに係合して反時計回りに回動する際には、第１ボス９２は、第１突出部８３の傾斜面８３ａの上方を通過するため第１突出部８３に干渉することは無い。
【００２７】
そして、サイドドア８０が閉状態になると、図５に示すように、ロック部７とフック部８５とが係合し、サイドドア８０が装置本体１Ａに対してロックされる。この時、転写ユニット６０の位置決めピン６６は、押圧部９３によって本体側位置決め部６に対して押し当てられている。すなわち、押圧部９３は、第２ボス９４が第１押圧面８４ｂによって押圧されることによって、及びねじりコイルバネ９６によって、回動軸９１を中心に反時計回りに付勢されており、この付勢力によって位置決めピン６６を押圧している。このように、転写ユニット６０の位置決めピン６６が本体側位置決め部６に押えつけられることによって、転写ユニット６０を装置本体１Ａに対して精度良く位置決めすることができる。
【００２８】
なお、位置決めピン６６は、転写ローラバネ６２によって回動軸６４を中心に時計回りに回動しようとする力が働いているが、ねじりコイルバネ９６を設けることでサイドドア８０を閉じる際のユーザの力を軽減することができる。また、第１押圧面８４ｂを弾性変形し易いように薄肉状に形成することで、押圧部９３によって第２ボス９４をより確実に押圧することができる。また、サイドドア８０が閉状態にある際には、位置決めカム９０は、上下方向において第１突出部８３と第２突出部８４との間に配置されている。このため、位置決めカム９０を限られたスペース内に配置することができ、プリンタ１を小型化することができる。
【００２９】
次に、サイドドア８０が開かれる際の位置決めカム９０の動作について説明する。サイドドア８０がユーザによって開かれると、図６に示すように、凹部８４ａの第１押圧面８４ｂに対向する第２押圧面８４ｃが第２ボス９４を押圧することで、位置決めカム９０がねじりコイルバネ９６の付勢力に抗して時計回りに回動する。位置決めカム９０が回動軸９１を中心に時計回りに回動することで、押圧部９３が転写ユニット６０の位置決めピン６６から離間し、転写ユニット６０は、回動軸６４を中心に回動可能な状態となる。
【００３０】
更にサイドドア８０が開かれると、転写ユニット６０は自重によりサイドドア８０と共に開かれていき、第２ボス９４が凹部８４ａから外れる。第２ボス９４が凹部８４ａから外れると、位置決めカム９０は、ねじりコイルバネ９６により回動軸９１を中心に反時計回りに回動し、ストッパ９７に当接して停止する。そして、ユーザが更にサイドドア８０を開くことで、図２に示すように、サイドドア８０は略９０度まで開かれ、転写ユニット６０は、ストッパ６５によって保持される。
【００３１】
なお、この状態において、ユーザは転写ユニット６０だけを装置本体１Ａに対して閉じることができる。ユーザは、転写ユニット６０を持ち上げることで、位置決めピン６６を本体側位置決め部６に当接させることができる。この時、位置決めピン６６は、位置決めカム９０の押圧部９３に下方から当接し、押圧部９３がわずかに持ち上げられた後、図５に示す位置において保持される。押圧部９３は、ねじりコイルバネ９６の付勢力によって位置決めピン６６を保持可能である。すなわち、位置決めピン６６が押圧部によって保持された状態では、ねじりコイルバネ９６が位置決めピン６６に作用する付勢力は、転写ローラバネ６２が位置決めピン６６に作用する付勢力よりも大きく設定されている。このように、サイドドア８０を開いた状態で転写ユニット６０だけを閉じることができるため、ユーザは転写ユニット６０とサイドドア８０との間に容易にアクセスでき、メンテナンス性を向上できる。
【００３２】
以上説明したように、サイドドア８０が開かれると、転写ユニット６０がサイドドア８０と連動して開かれるため、転写ローラ６１が感光ドラム２１から離間する。これにより、ユーザがジャムしたシートを容易に取り出すことができる。
【００３３】
また、サイドドア８０が閉状態では、位置決めカム９０の押圧部９３によって転写ユニット６０の位置決めピン６６が本体側位置決め部６に押し当てられ、転写ユニット６０を装置本体１Ａに対して精度良く位置決めすることができる。これにより、転写ローラ６１を感光ドラム２１に対して適正な転写圧で付勢することができ、シートＳに確実にトナー像を転写することができる。
【００３４】
また、位置決めカム９０の全体を転写ユニット６０の回動軸６４よりも装置本体１Ａの外側に配置したので、画像形成部２０、転写ユニット６０及び定着装置４０に囲まれたスペース的に余裕のない場所に位置決めカム９０を設けずに構成できる。このため、装置本体１Ａを小型化することができる。
【００３５】
＜第２の実施の形態＞
次いで、本発明の第２の実施の形態について説明するが、第２の実施の形態は、第１の実施の形態の位置決めカム９０を別構成で構成したものである。このため、第１の実施の形態と同様の構成については、図示を省略、又は図に同一符号を付して説明する。
【００３６】
位置決めカム１９０は、図７に示すように、画像形成装置としてのプリンタ１００の装置本体１００Ａに対して回動軸９１を中心に回動可能に支持されている。位置決め手段としての位置決めカム１９０の全体は、転写ユニット６０の回動軸６４よりも装置本体１Ａの外側に配置されている。位置決めカム１９０は、第１ボス９２と、第２ボス９４と、押圧部１９３と、を有している。押圧部１９３は、転写ユニット６０の位置決めピン６６を押圧可能な押圧面１９３ａと、押圧面１９３ａから屈曲して延びる屈曲面１９３ｂと、を有している。なお、サイドドア８０の開閉時における位置決めカム１９０の動作については第１の実施の形態と同様であるため説明を省略する。
【００３７】
サイドドア８０が閉状態の際に、転写ユニット６０の位置決めピン６６は、押圧部１９３の押圧面１９３ａによって本体側位置決め部６に対して押し当てられている。この時、押圧面１９３ａは、位置決めカム１９０の回動軸９１と位置決めピン６６とを結んだ線Ｖ１に直交する線Ｖ２に沿って延びている。このため、押圧面１９３ａは、位置決めピン６６から矢印Ｄ１方向の反力を受ける。矢印Ｄ１方向は、押圧部１９３から位置決めカム１９０の回動軸９１に向かう方向である。
【００３８】
すなわち、この反力によって位置決めカム１９０に回転力は生じず、凹部８４ａの第１押圧面８４ｂに大きな負荷がかかることが無い。このため、例えば転写ローラバネ６２をより高い転写圧を加えるものに替えたとしても、安定して転写ユニット６０を装置本体１００Ａに対して位置決めすることができる。
【００３９】
なお、既述のいずれの形態においても、サイドドア８０が開かれると転写ユニット６０がサイドドア８０と連動して開かれる構成であったが、サイドドア８０が開かれても転写ユニット６０が開かない構成としてもよい。
【００４０】
また、既述のいずれの形態においても、モノクロのトナー像を形成するプリンタを用いたが、中間転写ベルトを有するフルカラーのプリンタに本発明を適用してもよい。例えば、中間転写ベルトからシートにトナー像を二次転写する二次転写部材を、装置本体に対して回動可能な転写ユニットとして構成する場合において、本発明は適用することが可能である。
【００４１】
また、既述のいずれの形態においても、位置決めカム９０，１９０をねじりコイルバネ９６によって付勢したが、例えば位置決めカム９０，１９０の自重によってストッパ９７に当接するように構成し、ねじりコイルバネ９６を廃してもよい。
【符号の説明】
【００４２】
１，１００：画像形成装置（プリンタ）／１Ａ，１００Ａ：装置本体／６：固定部（本体側位置決め部）／２１：像担持体（感光ドラム）／６０：転写ユニット／６１：転写部（転写ローラ）／６２：転写付勢部（転写ローラバネ）／６４：回動中心（回動軸）／６６：当接部（位置決めピン）／８０：開閉手段（サイドドア）／８３：第３係合部（第１突出部）／８４ａ：第４係合部（凹部）／９０，１９０：位置決め手段（位置決めカム）／９１：回動中心（回動軸）／９２：第１係合部（第１ボス）／９３，１９３：押圧部／９４：第２係合部（第２ボス）／９６：付勢部（ねじりコイルバネ）／９７：規制部（ストッパ）／９９：連動部／１９３ａ：押圧面／Ｖ１：線／Ｖ２：直交する線
【図１】
2018084780.tif 000003
【図２】
2018084780.tif 000004
【図３】
2018084780.tif 000005
【図４】
2018084780.tif 000006
【図５】
2018084780.tif 000007
【図６】
2018084780.tif 000008
【図７】
2018084780.tif 000009
【図８】
2018084780.tif 000010